(57)【要約】【課題】電着砥石の修正抵抗を低減することにより、砥粒を保持するシャンクの剛性が低い場合でも高精度の修正を可能とする。【解決手段】電着砥石１３の修正方法は、シャンク５１の軸周りに回転させた電着砥石１３における砥粒層５２に対し、所定の軸周りに回転させたツルア３２を当接させた状態で、当該ツルアと砥粒層とをシャンクの軸方向に相対的に往復移動させるツルーイング工程を有し、砥粒層に対するツルアの当接部を、当該ツルアの回転方向に沿って形成された環状の角部４２ａとし、ツルアと電着砥石とを点接触させる。【選択図】図２
2014008558.tif 000002
【特許請求の範囲】
【請求項１】
円柱状のシャンクにおける一端側の外周に砥粒層が形成された電着砥石の修正方法であって、
前記シャンクの軸周りに回転させた前記電着砥石における前記砥粒層に対し、所定の軸周りに回転させた修正用工具を当接させた状態で、当該修正用工具と前記砥粒層とを前記シャンクの軸方向に相対的に往復移動させる修正工程を有し、
前記砥粒層に対する前記修正用工具の当接部は、当該修正用工具の回転方向に沿って形成された環状の角部であることを特徴とする電着砥石の修正方法。
【請求項２】
前記修正用工具は、少なくともその一端側に形成された円柱状部を有し、
前記角部は、前記円柱状部における外周面と端面との連結部位をなすことを特徴とする請求項１に記載の電着砥石の修正方法。
【請求項３】
前記修正工程では、前記砥粒層を構成する砥粒の平均粒径と等しい距離だけ前記角部を前記シャンクの外周面から離間させることを特徴とする請求項１または請求項２に記載の電着砥石の修正方法。
【請求項４】
前記電着砥石の周速に対する前記修正用工具の周速の比が０．８であることを特徴とする請求項１から請求項３のいずれかに記載の電着砥石の修正方法。
【請求項５】
円柱状のシャンクにおける一端側の外周に砥粒層が形成された電着砥石の修正装置であって、
前記電着砥石を前記シャンクの軸周りに回転自在に保持する砥石台と、
前記砥石台を前記シャンクの軸方向に移動自在に支持する砥石テーブルと、
修正用工具をその軸周りに回転自在に支持する工具支持台と、
前記工具支持台を前記シャンクの軸方向と直交する方向に移動自在に支持する工具テーブルと
を備え、
前記シャンクの軸と前記修正用工具の軸とは互いに交差する方向に配置され、
前記修正用工具は、少なくともその一端側に形成された円柱状部を有し、当該円柱状部における端面と外周面との連結部位をなす環状の角部が前記砥粒層に対して当接することを特徴とする電着砥石の修正装置。
【発明の詳細な説明】
【技術分野】
【０００１】
本発明は、電着砥石の形直しや目立て等を行うための修正方法および修正装置に関し、特に、小径穴の内面研削加工に用いられる電着砥石に好適な修正方法および修正装置に関する。
【背景技術】
【０００２】
従来、ダイヤモンド砥粒などを保持した電着砥石の修正方法として、例えば、電着砥石を回転させながら、その回転軸線と平行な軸周りに回転するツルーイングロールによってツルーイングして砥粒の表面の高さを揃えた後、同様に平行な軸周りに回転するクラッシングロールによって砥粒の表層部を破砕することにより、ワーク（工作物）の研削抵抗の低減を図ることを目的としたものが知られている（特許文献１参照）。
【先行技術文献】
【特許文献】
【０００３】
【特許文献１】特開平５−５０３７８号公報
【発明の概要】
【発明が解決しようとする課題】
【０００４】
ところで、ミニュチュアベアリングのレース等に設けられるような小径穴の内面研削加工に用いられる電着砥石では、比較的小径の砥粒が用いられると共に、その砥粒を保持するシャンク（台金）も比較的小さな径（例えば、直径３ｍｍ）を有する。そのようなシャンクは片持ち梁となって剛性も低いため、上記特許文献１に記載された従来技術のように、回転するツルーイングロール等を単に電着砥石に接触させて修正する方法では、その修正抵抗によってシャンクにたわみが生じて修正精度（延いては内面研削加工の精度）が低下するという問題があった。また、上記従来技術では、電着砥石の修正に２つのロール（ツルーイングロールおよびクラッシングロール）を用いる必要があるため、装置が複雑化するという問題もあった。
【０００５】
なお、電着砥石は小径になるほど有効切れ刃数が少なくなり、例えば直径３ｍｍの電着砥石では、同一の周上には１個か２個の有効切れ刃しかなく、そのために仕上げ面が粗いのが電着砥石の特徴といえる。
【０００６】
本発明は、このような従来技術の課題を鑑みて案出されたものであり、電着砥石の修正抵抗を低減することにより、砥粒を保持するシャンクの剛性が低い場合でも高精度の修正を可能とした電着砥石の修正方法および電着砥石の修正装置を提供することを主目的とする。
【課題を解決するための手段】
【０００７】
本発明の第１の側面では円柱状のシャンク（５１）における一端側の外周に砥粒層（５２）が形成された電着砥石（１３）の修正方法であって、前記シャンクの軸周りに回転させた前記電着砥石における前記砥粒層に対し、所定の軸周りに回転させた修正用工具（３２）を当接させた状態で、当該修正用工具と前記砥粒層とを前記シャンクの軸方向に相対的に往復移動させる修正工程を有し、前記砥粒層に対する前記修正用工具の当接部は、当該修正用工具の回転方向に沿って形成された環状の角部（４２ａ）であることを特徴とする。
【０００８】
この第１の側面による電着砥石の修正方法では、回転させた修正用工具における環状の角部を電着砥石の砥粒層に対して当接させる（すなわち、実質的に点接触させる）ため、電着砥石の修正抵抗を低減することができ、その結果、小径穴の内面研削加工に用いられる電着砥石のように砥粒を保持するシャンクの剛性が低い場合でも高精度の修正が可能となる。
【０００９】
本発明の第２の側面では、上記第１の側面に関し、前記修正用工具は、少なくともその一端側に形成された円柱状部（４１ａ）を有し、前記角部は、前記円柱状部における外周面と端面との連結部位をなすことを特徴とする。
【００１０】
この第２の側面による電着砥石の修正方法では、修正用工具や修正装置の構成を複雑化することなく、修正工程において修正用工具と電着砥石の砥粒層とを実質的に点接触させることが可能となる。
【００１１】
本発明の第３の側面では、上記第１または第２の側面に関し、前記修正工程では、前記砥粒層を構成する砥粒の平均粒径と等しい距離（Ｇ）だけ前記角部を前記シャンクの外周面から離間させることを特徴とする。
【００１２】
この第３の側面による電着砥石の修正方法では、修正抵抗を低減しつつ、砥粒層における砥粒の切れ刃高さを精度良く調整することが可能となる。
【００１３】
本発明の第４の側面では、上記第１から第３の側面のいずれかに関し、前記電着砥石の周速に対する前記修正用工具の周速の比が０．８であることを特徴とする。
【００１４】
この第４の側面による電着砥石の修正方法では、砥粒層の表面形状が適切化され、その結果、電着砥石による研削時のワークの表面粗さを低減することができる。
【００１５】
本発明の第５の側面では、円柱状のシャンク（５１）における一端側の外周に砥粒層（５２）が形成された電着砥石（１３）の修正装置（１）であって、前記電着砥石を前記シャンクの軸周りに回転自在に保持する砥石台（１５）と、前記砥石台を前記シャンクの軸方向に移動自在に支持する砥石テーブル（１６）と、修正用工具をその軸周りに回転自在に支持する工具支持台（３４）と、前記工具支持台を前記シャンクの軸方向と直交する方向に移動自在に支持する工具テーブル（１２）とを備え、前記シャンクの軸と前記修正用工具の軸とは互いに交差する方向に配置され、前記修正用工具は、少なくともその一端側に形成された円柱状部（４１ａ）を有し、当該円柱状部における端面と外周面との連結部位をなす環状の角部（４２ａ）が前記砥粒層に対して当接することを特徴とする。
【００１６】
この第５の側面による電着砥石の修正装置では、回転させた修正用工具の円柱状部における環状の角部を電着砥石の砥粒層に対して当接させるため、修正用工具や修正装置の構成を複雑化することなく、電着砥石の修正抵抗を低減することができ、その結果、小径穴の内面研削加工に用いられる電着砥石のように砥粒を保持するシャンクの剛性が低い場合でも高精度の修正が可能となる。
【発明の効果】
【００１７】
このように本発明によれば、電着砥石の修正抵抗を低減することにより、砥粒を保持するシャンクの剛性が低い場合でも高精度の修正が可能となるという優れた効果を奏する。
【図面の簡単な説明】
【００１８】
【図１】本発明に係る電着砥石の修正方法に用いられる修正装置の要部平面図である。
【図２】図１に示した修正装置におけるツルアと電着砥石との配置を示す図である。
【図３】電着砥石の構造を示す模式的断面図である。
【図４】図１に示した修正装置によるツルーイング工程を示す説明図である。
【図５】図２に示したツルアと電着砥石との配置の変形例を示す図である。
【図６】図１に示した修正装置によるツルーイング結果（砥粒層の表面プロフィールの比較）を示す図である（（Ａ）ツルーイング後、（Ｂ）ツルーイング前）。
【図７】図１に示した修正装置によるツルーイング結果（砥粒層の表面のＳＥＭ写真）を示す図である。
【図８】ツルーイング後の電着砥石による研削結果（オシレーション回数と表面粗さの関係）を示す図である。
【発明を実施するための形態】
【００１９】
以下、本発明の実施の形態について図面を参照しながら説明する。説明にあたり、方向を示す用語は、図１中の矢印で示す方向に従うものとする。
【００２０】
まず図１〜図３を参照して、本発明に係る電着砥石の修正装置１の構成について説明する。この修正装置１は、内面研削盤２にツルーイング装置３が付設された構成を有している。内面研削盤２は、周知の構成を有しており、図示しないモータにより駆動されてワークＷを回転自在に保持する主軸台１１と、主軸台１１を左右方向に移動自在に支持するワークテーブル（工具テーブル）１２と、電着砥石１３をスピンドルモータ１４により回転自在に保持する砥石台１５と、砥石台１５を前後方向に移動自在に支持する砥石テーブル１６とを備えている。
【００２１】
内面研削盤２において、ワークＷは、チャック２１を介して主軸台１１の主軸に固定される。ワークテーブル１２は、第１ベッド２５上において、左右方向に延在するガイドレール２６に沿って移動可能に設けられている。また、砥石テーブル１６は、第２ベッド２７上において、前後方向に延在するガイドレール２８に沿って移動可能に設けられており、これにより、電着砥石１３は、その軸方向となる前後方向に移動可能である。
【００２２】
ツルーイング装置３は、ワークテーブル１２の右後部に固定された支持板３１と、この支持板３１に取り付けられ、ツルア（修正用工具）３２をスピンドルモータ３３により回転自在に保持するツルア台（工具支持台）３４とを備える。ツルーイング装置３は、ワークテーブル１２と共に左右方向に移動自在である。
【００２３】
図２に示すように、ツルア３２は、比較的小径（ここでは、外径7mm）の円柱状をなす金属製の軸部４１と、この軸部４１の先端に設けられた刃先部４２とを有している。軸部４１の先端部（円柱状部）４１ａは僅かに拡径されており、この先端部４１ａの端面に同径の円板状をなす刃先部４２がろう付けされている。刃先部４２は、後に詳述する電着砥石１３の砥粒よりも硬度が高いＰＣＤ（Polycrystalline Diamond）で形成されているが、これに限らず、例えば、ＮＰＤ（Nano-Polycrystalline Diamond）、ＣＶＤ合成ダイヤモンド、ＰＶＤ（Nano-Polycrystalline Diamond）及びＤＬＣ（Diamond-Like Carbon）等を用いることができる。
【００２４】
ツルア３２と電着砥石１３とは、修正装置１（図１参照）において中心位置が同じ高さとなるように保持されている。また、ツルア３２の軸方向（図２中の軸線Ｃ１参照）は、電着砥石１３の軸方向（図２中の軸線Ｃ２参照）に対して交差するように配置されている。ここでは、軸線Ｃ１と軸線Ｃ２との交差角度θは４５°に設定されている。このようなツルア３２と電着砥石１３との配置により、ツルア３２では、その先端部４１ａ（刃先部４２）における外周面と端面との連結部位をなす環状の角部４２ａが電着砥石１３に対して当接可能となる。
【００２５】
なお、交差角度θは、４５°に限定されるものではなく、ツルア３２と電着砥石１３とを実質的に点接触させることが可能な限りにおいて、変更することができる。ただし、交差角度θを微少な角度（例えば、５°以下）とした場合には、実質的な点接触が損なわれる場合があるため、比較的大きな角度（例えば、２０°以上）とするとよい。また、角部４２ａの角度（電着砥石１３の軸線Ｃ１を通る断面における角度）は、９０°以下であることが好ましい。
【００２６】
電着砥石１３は、比較的小径（ここでは、外径3mm）の円柱状をなす金属製のシャンク（台金）５１と、このシャンク５１の先端側の外周に所定の軸方向長さにわたって形成された砥粒層５２とを有している。図３に示すように、砥粒層５２は、シャンク５１の外周面に形成された下地めっき層５３上に設けられ、複数の砥粒５４が、下地めっき層５３上に順次積層されたニッケルの電解めっき層５５および無電解めっき層５６によって固定されている。砥粒層５２では、複数の砥粒５４が単層状に配置されており、砥粒５４の下部が下地めっき層５３に当接する一方、砥粒５４の上部が無電解めっき層の表面から外側に突出している。砥粒５４はＣＢＮ（Cubic Boron Nitride）で形成されているが、これに限らず、合成ダイヤモンド等の公知の超砥粒を用いることができる。また、砥粒５４の粒度は、ふるいの目開き寸法に基づき８０／１００（JIS B 4130）であり、平均粒径は１７７μｍである。
【００２７】
次に、図４を参照して、修正装置１による電着砥石１３のツルーイング工程（修正工程）について説明する。ツルーイング工程の前工程として、内面研削盤２では、図１に示した砥石テーブル１６を前進させた状態で、ツルーイング前（修正前）の電着砥石１３を用いてワークＷの穴に対して周知の粗研削工程が実施される。この粗研削工程の終了後、砥石テーブル１６を所定位置まで後退させると共に、ワークテーブル１２を所定位置まで左方に移動させることにより、ツルーイング装置３はツルーイング工程を実施可能（電着砥石１３の右側方にツルア３２が当接可能）となる。
【００２８】
ツルーイング工程では、図４（Ａ）に示すように、ツルア３２の角部４２ａを電着砥石１３のシャンク５１の外周面に突き当てることにより、ツルア３２の初期位置が決定される。続いて、図４（Ｂ）に示すように、角部４２ａをシャンク５１の外周面から所定の間隔Ｇだけ離間させる。この間隔Ｇは、砥粒５４の大きさ（シャンク５１の外周面からの突出量）に応じて設定することができるが、、特に、砥粒５４の平均粒径と同じ大きさに設定するとよい。これにより、ツルーイング抵抗（修正抵抗）を低減しつつ、砥粒層５２における砥粒５４の突出量（切れ刃高さ）を精度良く調整（均一化）することが可能となる。
【００２９】
次に、上記間隔Ｇを保持しながら、図４（Ｃ）に示すように、回転状態のツルア３２の角部４２ａを回転状態の電着砥石１３の砥粒層５２の表面に当接させた状態で、ツルア３２と電着砥石１３（砥粒層５２）とをシャンク５１の軸方向に繰り返し相対移動させる。より詳細には、回転状態のツルア３２の位置を固定した状態で、電着砥石１３の前後方向への往復移動（オシレーション）を複数回（ここでは、１０回）実施する。このとき、ツルア３２の角部４２ａと当接した砥粒５４の上端部が切り込まれることにより、砥粒層５２の表面の形状調整と、砥粒５４の上端部の鋭利化（微少な凹凸の形成）が行われる。
【００３０】
その後、修正装置１では、ツルーイング工程の後工程として、ツルーイング後の電着砥石１３を用いた仕上げ研削工程が実施される。つまり、修正装置１では、ツルーイング工程を介して粗研削工程および仕上げ研削工程を同一の電着砥石１３を用いて実施することができる。
【００３１】
なお、ツルア３２の構成は、少なくとも回転状態で電着砥石１３と実質的に点接触可能な限りにおいて、上述のものに限らず種々の変更が可能である。例えば、図５に示すように、ツルア３２の軸方向（図５中の軸線Ｃ１参照）を電着砥石１３の軸方向（図５中の軸線Ｃ２参照）と平行に配置すると共に、ツルア３２の先端部４１ａを算盤玉状（２つの円錐台の底部を連結した形状）とすることができる。この場合、刃先部４２は、先端部４１ａの最大径部（円錐台の底部の連結部位）の外周縁部をなし、その外周端に環状の角部４２ａが形成される。
【実施例】
【００３２】
以下、図６〜図８を参照して、上記構成の修正装置１によるツルーイング結果およびツルーイング後の電着砥石１３によるワークＷの研削結果について、より具体的な実施例を挙げて説明する。なお、ツルーイング条件や研削条件等について、以下で特に言及しない事項については、上述の場合と同様とする。
【００３３】
表１には、実施例におけるツルーイング条件を示す。ここで、周速比は、電着砥石１３の周速に対するツルア３２の周速の比（ツルア３２の周速／電着砥石１３の周速）であり、３段階（0.4、0.8、1.25）に切り替えてツルーイング工程を実施した。また、図６に示す砥粒層５２の表面プロフィールは、表面粗さ計にナイフエッジスタイラスを装着して測定した。
【００３４】
【表１】
2014008558.tif 000003
【００３５】
図６（Ａ）に示すツルーイング（周速比0.8）後の砥粒層５２の表面プロフィールでは、図６（Ｂ）に示すツルーイング前に比べて、切れ刃高さが均一化されることにより表面形状が良好に調整されており、また、砥粒５４の上面には微細な凹凸が形成されていることが確認できる。さらに、それら微細な凹凸の間には、よりサイズの大きな凹部（チップポケット）が形成されていることも確認できる。より詳細には、図７に示すように、砥粒５４の上面には、ツルーイング工程における脆性破壊で発生したと考えられる5μm程度の深さの微細な凹凸が形成され、また、これら凹凸の間隔は20μm程度である。なお、周速比0.8の場合において、キスラー３分力動力計で測定したツルーイング抵抗（法線方向）は0.07N であった。
【００３６】
表２には、実施例における研削条件を示す。
【００３７】
【表２】
2014008558.tif 000004
【００３８】
図８に示すように、研削後のワークＷの表面粗さ（算術平均粗さ）Ｒａは、ツルーイング工程における全ての周速比について0.15μm以下となり、特に、周速比0.8の電着砥石において最小（0.08μm）となった。なお、研削抵抗（法線方向）は、周速比0.4、0.8、1.25の電着砥石において、それぞれ1.13、0.25、0.48Nとなった。つまり、ツルーイング工程は、周速比0.8で実施することが最も好ましく、これにより、砥粒層５２の表面形状が適切化され、その結果、電着砥石１３による研削時のワークの表面粗さを低減することができる。
【００３９】
このように、本発明に係る電着砥石のツルーイング方法（修正方法）および修正装置では、回転させたツルア３２における環状の角部４２ａを電着砥石１３の砥粒層５２に対して当接させる（すなわち、実質的に点接触させる）ため、電着砥石１３のツルーイング時のツルーイング抵抗を低減することができ、その結果、小径穴の内面研削加工に用いられる電着砥石のように、片持ち梁をなす剛性の低いシャンクの場合でもたわみを抑制して高精度の修正が可能となる。また、ツルーイング工程において、砥粒層５２の表面の形状調整のみならず、砥粒５４の上端部の鋭利化（微少な凹凸の形成）を行うことができるため、その後の目立て等の工程は不要である。
【００４０】
本発明を特定の実施形態に基づいて説明したが、これらの実施形態は単なる例示であって、本発明はこれらの実施形態によって限定されるものではない。例えば、本発明に係る電着砥石の修正装置は、内面研削盤２とは別体として構成することも可能である。また、電着砥石の構造は、上述のものに限らず、他の公知の構成を採用することもできる。なお、上記実施形態に示した本発明に係る電着砥石の修正方法および電着砥石の修正装置の各構成要素は、必ずしも全てが必須ではなく、少なくとも本発明の範囲を逸脱しない限りにおいて適宜取捨選択することが可能である。
【符号の説明】
【００４１】
１  修正装置
２  内面研削盤
３  ツルーイング装置
１１  主軸台
１２  ワークテーブル（工具テーブル）
１３  電着砥石
１５  砥石台
１６  砥石テーブル
３２  ツルア（修正用工具）
３４  ツルア台（工具支持台）
４１  軸部
４１ａ  先端部（円柱状部）
４２  刃先部
４２ａ  角部
５１  シャンク
５２  砥粒層
５４  砥粒
Ｇ  間隙
【図１】
2014008558.tif 000005
【図２】
2014008558.tif 000006
【図３】
2014008558.tif 000007
【図４】
2014008558.tif 000008
【図５】
2014008558.tif 000009
【図６】
2014008558.tif 000010
【図８】
2014008558.tif 000011
【図７】
2014008558.tif 000012